(57)【要約】【構成】複合機２の操作パネル３０の電話帳キーやスタートキーなどに、指紋センサなどのバイオメトリクスセンサを重ねて配置する。ジョブを実行させるために操作キーにユーザが触れると自動的にバイオメトリクスデータを読み取り、記憶したバイオメトリクスデータと比較してユーザを特定し、そのユーザをジョブの所有者とする。【効果】パスワードなどを入力する必要無しに、ジョブの実行結果をユーザの端末に送信したり、送信ファイルにユーザ名を記入したカバーページなどを追加できる。またログファイルにユーザ名を記入できるので、ユーザ毎のジョブ管理ができる。【選択図】    図１
2005011142.tif 000002
【特許請求の範囲】
【請求項１】
機体上にバイオメトリクスデータの入力手段を設けると共に、前記バイオメトリクスデータをユーザを特定する情報に変換するための変換手段を設けて、前記ユーザ特定情報を用いて、文書処理装置のジョブの所有者を決定もしくは所有者を認証するようにした、文書処理装置。
【請求項２】
ジョブの終了時に、文書処理装置からジョブの所有者の端末へ通知するようにしたことを特徴とする、請求項１の文書処理装置。
【請求項３】
ログファイルにジョブの所有者を記録するようにしたことを特徴とする、請求項１または２の文書処理装置。
【請求項４】
前記ジョブが受信データの処理である場合に、受信データの所有者と前記ユーザ特定情報とを比較して出力権限を認証し、出力権限を認証したユーザに対して受信データを出力するようにしたことを特徴とする、請求項１〜３のいずれかの文書処理装置。
【請求項５】
前記ジョブがデータの送信である場合に、前記ユーザ特定情報を送信者情報として送信データに追加するようにしたことを特徴とする、請求項１〜４のいずれかの文書処理装置。
【請求項６】
前記ジョブがデータの読み取りである場合に、ユーザ毎の記憶領域に読み取りファイルを記録するようにしたことを特徴とする、請求項１〜４のいずれかの文書処理装置。
【請求項７】
文書処理装置の操作キーを兼用するように前記バイオメトリクスデータの入力手段を設けて、該操作キーの操作により自動的にバイオメトリクスデータを読み取る、ようにしたことを特徴とする、請求項１〜６のいずれかの文書処理装置。
【請求項８】
バイオメトリクスデータの入力エリアと非入力エリアとを設けた操作キーを設けて、バイオメトリクスデータの入力エリアにタッチすると、特定のユーザのジョブとして処理し、非入力エリアにタッチすると、特定のユーザに対応しない通常のジョブとして処理するように、操作キーへのタッチ位置により処理を切り替えるようにしたことを特徴とする、請求項７の文書処理装置。
【請求項９】
バイオメトリクスデータをユーザを特定する情報に変換するための命令と、前記ユーザ特定情報を用いて文書処理装置のジョブの所有者を決定もしくは所有者を認証するようにした、文書処理装置用のプログラム。
【請求項１０】
文書処理装置からジョブの所有者の端末へ、ジョブの終了を通知する命令を設けたことを特徴とする、請求項９の文書処理装置用のプログラム。
【請求項１１】
前記ジョブが受信データの処理である場合に、受信データの所有者と前記ユーザ特定情報とを比較して出力権限を認証するための命令を設けたことを特徴とする、請求項９または１０の文書処理装置用のプログラム。
【請求項１２】
前記ジョブがデータの送信である場合に、前記ユーザ特定情報を送信者情報として送信データに追加するための命令を設けたことを特徴とする、請求項９〜１１のいずれかの文書処理装置用のプログラム。
【発明の詳細な説明】
【０００１】
【発明の利用分野】
この発明は、ファクシミリ、スキャナ、コピー機などの文書処理装置と、これらの文書処理装置に用いるプログラムに関する。
【０００２】
【従来技術】
【０００３】
【特許文献１】特開２００３−２３４２２号公報
特許文献１は、バイオメトリクスデータを用いた本人認証について記載している。そしてバイオメトリクスデータによる本人認証を、複写機などの文書処理装置に適用することも考えられる。
【０００４】
【発明の課題】
この発明の課題は、ユーザＩＤやパスワードなどを入力しないくても、ジョブの所有者を特定し、きめ細やかなサービスを提供することにある（請求項１〜１２）。
請求項２，１０の発明での追加の課題は、ユーザがジョブを文書処理装置に依頼した場合に、ユーザＩＤやパスワードなどを入力しなくても、自動的にジョブの終了結果をユーザに通知できるようにすることにある。
請求項４，１１の発明での追加の課題は、受信データをプリントしたり、表示あるいは転送したりする際のユーザ認証を、一々ユーザＩＤやパスワードなどを入力しなくてもできるようにすることにある。
請求項７，１２の発明での追加の課題は、ユーザ認証に必要なバイオメトリクスデータの読み取りを、文書処理装置をキー操作する過程で自動的に行えるようにすることにある。
請求項８の発明での追加の課題は、同じ操作キーでタッチする部位を変えることにより、共用の通常の処理か、タッチしたユーザに応じた処理かを切り替えられるようにすることにある。
【０００５】
【発明の構成】
この発明の文書処理装置は、機体上にバイオメトリクスデータの入力手段を設けると共に、前記バイオメトリクスデータをユーザを特定する情報に変換するための変換手段とを設けて、前記ユーザ特定情報を用いて、文書処理装置のジョブの所有者を決定もしくは所有者を認証するようにしたものである（請求項１）。文書処理装置は、例えばファクシミリ装置や、コピー機、プリンタ、スキャナなどとする。
【０００６】
好ましくは、コピー、プリント、ファクシミリ送信などのジョブの終了時に、文書処理装置からジョブの所有者の端末へ通知するようにする（請求項２）。
また好ましくは、ログファイルにジョブの所有者を記録するようにする（請求項３）。
【０００７】
好ましくは、前記ジョブが受信データの処理である場合、例えば受信ファクシミリの処理や、ＬＡＮなどを介して指示したプリントである場合、受信データの所有者と前記ユーザ特定情報とを比較して出力権限を認証し、出力権限を認証したユーザに対して受信データを出力するようにする（請求項４）。
【０００８】
好ましくは、前記ジョブがデータの送信、例えばファクシミリ送信である場合に、前記ユーザ特定情報を送信者情報として送信データに追加するようにする（請求項５）。
また好ましくは、前記ジョブがデータの読み取りである場合に、ユーザ毎の記憶領域に読み取りファイルを記録するようにする（請求項６）。
【０００９】
特に好ましくは、文書処理装置の操作キーを兼用するように前記バイオメトリクスデータの入力手段を設けて、該操作キーの操作により自動的にバイオメトリクスデータを読み取るようにする（請求項７）。
特に、バイオメトリクスデータの入力エリアと非入力エリアとを設けた操作キーを設けて、バイオメトリクスデータの入力エリアにタッチすると、特定のユーザのジョブとして処理し、非入力エリアにタッチすると、特定のユーザに対応しない通常のジョブとして処理するように、操作キーへのタッチ位置により処理を切り替えるようにすると、同じ操作キーのどちらのエリアにタッチするかにより、タッチしたユーザに応じた処理（バイオメトリクスデータの入力エリアにタッチした場合）か、ユーザが特定されない場合の通常の処理基準に従った処理かを切り替えることができる（請求項８）。
【００１０】
この発明はまた、バイオメトリクスデータをユーザを特定する情報に変換するための命令と、前記ユーザ特定情報を用いて文書処理装置のジョブの所有者を決定もしくは所有者を認証するようにした、文書処理装置用のプログラムにある（請求項９）。
【００１１】
好ましくは、文書処理装置からジョブの所有者の端末へ、ジョブの終了を通知する命令を設ける（請求項１０）。
【００１２】
好ましくは、前記ジョブが受信データの処理である場合に、受信データの所有者と前記ユーザ特定情報とを比較して出力権限を認証するための命令を設ける（請求項１１）。
【００１３】
好ましくは、前記ジョブがデータの送信である場合に、前記ユーザ特定情報を送信者情報として送信データに追加するための命令を設ける（請求項１２）。
【００１４】
【発明の作用と効果】
この発明の文書処理装置では、文書処理装置の機体上に、例えば操作パネル上に、バイオメトリクスデータの入力手段を設けて、ユーザのバイオメトリクスデータを読み取る。読み取ったバイオメトリクスデータを、ユーザを特定する情報に変換して、ジョブの所有者を決定する。もしくは受信データのようにジョブの所有者が既に判明している場合には、所有者であるかどうかを認証する。このためジョブの所有者に、きめ細やかなサービスができる（請求項１，９）。
【００１５】
請求項２，１０の発明では、ジョブの終了時に、ジョブ所有者の端末に通知するので、ジョブを正常に実行したことや、ジョブの実行過程でトラブルが生じ正常には実行できなかったことなどを通知できる。このため例えば、多数の枚数のコピーやファクシミリなどを文書処理装置の機側から指示した場合、ユーザは実行が終了したことを自分の端末へ通知されるので便利である。
【００１６】
請求項３の発明では、ログファイルにジョブの所有者を記録する。このため、ログファイルからジョブの処理状況などを検索するのが容易になり、またユーザ毎の文書処理装置の使用状況の把握なども容易になる。
【００１７】
インターネットファクシミリを受信した場合や、Ｇ３ファクシミリで親展ファクシミリを受信した場合、受信データの宛先を文書処理装置が特定できる。またクライアントからプリントを依頼された場合も、プリントの依頼人（所有者）を文書処理装置が特定できる。このような受信データに対して、バイオメトリクスデータで出力権限を認証すると、そのユーザに対する受信データを出力できる（請求項４，１１）。
【００１８】
ファクシミリ送信などを行う場合、バイオメトリクスデータから特定したユーザ特定情報、例えばユーザ名を、Ｇ３ファクシミリのカバーページの発信人欄や、インターネットファクシミリのｅメール本文のｓｉｇｎａｔｕｒｅ欄などに、送信者情報として記入すると、一々送信者名を記入しなくても良く便利である（請求項５，１２）。
【００１９】
文書処理装置をスキャナとして用いる場合、バイオメトリクスデータからユーザ特定情報を求めて、ユーザ毎の記憶領域に読み取りファイルを記録すると、読み取りファイルの管理が容易になる（請求項６）。
【００２０】
文書処理装置の操作キーを兼用するように、バイオメトリクスデータの入力手段を設けると、操作キーを操作する過程で自動的にバイオメトリクスデータを読み取ることができる（請求項７）。
特に１つの操作キーに２つのエリアを設けて、どちらのエリアにタッチするかで処理を切り替えるようにすると、ユーザ毎の記憶領域に読み取りデータを保存する・ユーザ毎の受信ボックスを開く・送信ファイルにユーザ毎の署名を付ける（バイオメトリクスデータを入力した場合）と、共用の記憶領域に読み取りデータを保存する・共用の受信ボックスを開く・送信ファイルに共用の署名を付ける（バイオメトリクスデータを入力しなかった場合）などの使い分けが、ワンタッチででき便利である（請求項８）。
【００２１】
【実施例】
図１〜図６に、実施例を示す。図１において、２は文書処理装置の例としての複合機で、４は複合機本体であり、ファクシミリ機能処理部６とスキャナ機能処理部７，コピー機能処理部８，プリンタ機能処理部９並びにＬＡＮインターフェース１０、等を備えている。複合機本体４には、プログラムメモリ１１を設けてプログラムを記憶自在にし、Ｉ／Ｏ１２から複合機の動作プログラムなどを読み出して、プログラムメモリ１１に記憶させる。１３はジョブ管理部で、ジョブの内容とその所有者（ユーザ名やクライアント名、あるいはパスワードやユーザＩＤ、アカウント番号などのユーザを特定する情報）とを記憶する。ジョブ管理部１３には、例えば待行列を設けて、ジョブの実行順序を管理する。
【００２２】
ファクシミリ機能処理部６は、ＰＳＴＮ（公衆電話回線網）１５などを介し、Ｇ３ファクシミリの送受信などを行う。スキャナ機能処理部７は、図示しないスキャナにより原稿画像を読み取り、コピー機能処理部８は原稿を所定枚数コピーする。またプリンタ機能処理部９は、ＬＡＮ１６などに接続されたパーソナルコンピュータなどのクライアント１９に対して、プリンタ機能を提供する。
【００２３】
ＬＡＮインターフェース１０は、複合機２とＬＡＮ１６とのインターフェースであり、ＬＡＮ１６はルータ１７などを介して、インターネット１８などに接続されている。このため、ファクシミリ機能処理部６で作成した画像データは、電子メールの添付ファイルなどとされて、ＬＡＮインターフェース１０などを介して、インターネットファクシミリとして送信される。同様にＬＡＮインターフェース１０を介して受信したインターネットファクシミリは、ファクシミリ機能処理部６により、プリントアウトや宛先のユーザへの配信などの処理がされる。
【００２４】
複合機２の機体上には操作パネル３０を設け、操作パネル上にバイオメトリクスセンサを設ける。バイオメトリクスセンサは好ましくは操作用のキーを兼ねるように（キーに重ねて）配置し、操作キーにタッチする過程で、自動的にバイオメトリクスデータを読み取れるようにする。このためバイオメトリクスセンサには、指先からバイオメトリクスデータを読み取るセンサが好ましく、例えば指紋センサ、汗からＤＮＡを読み取るＤＮＡセンサ、汗の成分を分析するバイオセンサ、汗腺のパターンのセンサ、指先の毛細血管のパターのセンサなどを用いる。指紋センサは、例えばＣＣＤセンサなどにより指紋のパターンを読み取り、特徴抽出を行うことにより構成できる。
【００２５】
またこれ以外に、半導体圧力センサなどをアレイ状に集積化して、キーに指で触れる際の圧力の時間的変化と、平面的な圧力の分布のパターンを用いて、バイオメトリクスデータとすることもできる。実施例では、ユーザがキーにタッチした際に、簡単にかつ自動的にバイオメトリクスデータを読み取ることができる。
【００２６】
認証部３１は、バイオメトリクスデータの記憶部３２に記憶したバイオメトリクスデータと操作パネル３０から入力されたバイオメトリクスデータとを照合して、ユーザを特定する。なおユーザを特定できなかった場合、認証部３１は認証不能のデータを出力し、これはバイオメトリクスデータが入力されなかったことと同じ意味になる。記憶部３２は例えば表形式で、ユーザ名や、ユーザのパスワードやパスコード、ＩＤ、ユーザのクライアント１９のアドレスなどを、ユーザ特定情報として記憶する。また各ユーザに対してバイオメトリクスデータを記憶し、好ましくは、１ユーザに対して複数のバイオメトリクスデータを記憶自在にして、どの指でタッチしても、あるいは指のどの部分でタッチしても、ユーザを特定できるようにする。
【００２７】
複合機２は、例えば１０人程度のユーザに共用される状態を想定している。バイオメトリクスデータで本人認証を行う目的は、パスワードなどを入力しなくても、各ジョブの所有者が誰であるか、あるいは機側にいるユーザがジョブの所有者かどうかを認証し、きめ細やかなサービスを提供することである。従って、本人認証の精度は必ずしも高いものである必要はない。このため記憶部３２には、バイオメトリクスデータを高精度に記憶する必要はなく、１０人程度のユーザを識別できる程度の精度で、バイオメトリクスデータを記憶すればよい。
【００２８】
図２に、操作パネル３０でのバイオメトリクスセンサ３８，３９の配置を示す。ＬＣＤに感圧センサなどを重ねて配置したタッチパネル３４には、様々な操作キーが配置される。図２の場合、ＦＡＸの送信や受信、コピー、ＳＣＡＮ、Ｐｒｉｎｔ、その他、などの操作キーが表示され、各操作キーの例えば右半分に指紋センサなどのバイオメトリクスセンサ３９を配置する。この結果、各キーは、左半分がバイオメトリクスデータを入力しないエリア、右半分がバイオメトリクスデータの入力エリアとなり、バイオメトリクスデータを入力するかしないかを簡単に切り替えることができる。さらにこうすることで、ユーザ情報を利用したジョブの処理を行うか、通常の所有者を意識しないジョブの処理を行うかを、ユーザが簡単に選択できる。
【００２９】
バイオメトリクスセンサ３８は、スタートキー３５やストップキー３６などの主なキーにも重ねて配置する。この場合も、キーの一部にのみバイオメトリクスセンサ３８を設けて、バイオメトリクスデータを入力するかしないかを簡単に切り替えられるようにする。認証キー３７の場合、キー全体にバイオメトリクスセンサ３８を配置し、認証キー３７の初期状態は、バイオメトリクスデータを読み取っておらず、ユーザを認証していない状態であり、ここに指先でタッチすることにより、バイオメトリクスデータを読み取ってユーザを特定する。
【００３０】
図２では、バイオメトリクスデータを入力するかしないかを、各キーにバイオメトリクスデータの入力エリアと入力しないエリアとを設けることにより実現した。このような方法に代えて、例えば所定時間以上続けて、バイオメトリクスセンサを配置したキーにタッチすると、バイオメトリクスデータを出力し、所定時間未満しかタッチしていない場合、バイオメトリクスデータを出力しないようにしても良い。またバイオメトリクスセンサを設けたキーに対して、複数回続けてタッチすると、バイオメトリクスデータを出力し、１回だけタッチしても出力しないようにしても良い。
【００３１】
バイオメトリクスセンサ３８，３９は主なキーに設ければ良く、全てのキーに設ける必要はない。また認証キー３７を設ける場合、他のキーにはバイオメトリクスセンサを設けなくても良い。但しこの場合、通常の操作以外に認証キー３７にタッチする操作が増えるので、タッチパネル３４やスタートキー３５などの主なキーに重ねて、バイオメトリクスセンサを配置する方が好ましい。
【００３２】
図３に、ジョブ管理部１３の構成を示す。バイオメトリクスデータが入力されると、ユーザが特定される。ジョブ所有者管理部４０は、各ジョブに対してその所有者を記憶し、かつ待行列などを備えてジョブの実行順序を管理する。ジョブ終了通知管理部４１は、ジョブが終了した場合に、ジョブの所有者の端末（クライアント）に対して、ジョブの終了通知をＬＡＮを介して送信する。この通知は、ファクシミリ送信、プリント、コピーなどのジョブに対して、正常に終了したこと、もしくは何らかの原因により正常には終了できなかったことを、通知するものである。
【００３３】
送信者情報管理部４２は、Ｇ３ファクシミリやインターネットファクシミリなどの送信に際して、送信者情報を付与する。送信者情報は、例えばＧ３ファクシミリの場合、カバーページの送信元欄にユーザの名称を記載することや、インターネットファクシミリの場合、ｅメール本文のＳｉｇｎａｔｕｒｅ欄に、ユーザ名を記載することにより行う。なお個々のユーザが、自分専用のカバーページやｅメールの本文欄を送信者情報管理部４２に記憶させると、ユーザ専用のカバーページやｅメールの本文を用いて、ファクシミリ送信が行われる。
【００３４】
スキャン文書所有者管理部４３は、複合機でスキャンした文書に対して、バイオメトリクスデータから求めたユーザを、スキャンファイルの所有者として管理する。例えば複合機が、ユーザ毎にディレクトリを設けて、スキャンファイルを管理している場合、該当するユーザのディレクトリにスキャンファイルを記憶する。ユーザ毎のディレクトリが無い場合、スキャンファイルのファイル名にユーザ名を加える。あるいはスキャンファイルの属性情報の欄などにユーザ名を記録する。
【００３５】
受信ボックス管理部４４は、インターネットファクシミリ受信した文書や、クライアントから遠隔プリントを依頼された文書、あるいは親展ファクシミリ受信した文書などに対して、所有者の管理を行う。これらの場合、ファクシミリの宛先となるユーザや、プリントを依頼したユーザをジョブの所有者と見なし、ジョブの所有者とバイオメトリクスデータから特定したユーザとが一致する場合に、プリントする、表示する、ファイルを転送するなどの処理を行う。
【００３６】
ログ管理部４５は、複合機で処理したジョブを記録するログファイル（ジャーナル）に、ジョブの実行日時と実行結果、並びにジョブの所有者を記録する。この結果、ログファイルから特定のジョブを検索する場合、ユーザ名と実行日時などにより、簡単に検索できる。またユーザ毎に複合機がどのように使用されているかを、簡単に調べることができる。
【００３７】
図４に、実施例での文書処理装置用のプログラム５０の構成を示す。バイオメトリクスデータ記憶命令５１には、図１の記憶部３２を形成して、ユーザ毎のバイオメトリクスデータやユーザＩＤなどを記憶する命令が含まれている。照合命令５２には、図１の認証部３１により、記憶部３２のバイオメトリクスデータと、操作パネルから入力されたバイオメトリクスデータを照合するための命令が含まれている。ジョブ所有者管理命令５３には、図３のジョブ所有者管理部４０を、複合機上に実装するための命令が含まれている。ジョブ終了通知管理命令５４には、図３のジョブ終了通知管理部４１を複合機上に実装するための命令が含まれている。
【００３８】
送信者情報管理命令５５には、図３の送信者情報管理部４２を複合機上に実装するための命令が含まれている。スキャン文書所有者管理命令５６には、図３のスキャン文書所有者管理部４３を複合機上に実装するための命令が含まれている。受信ボックス管理命令５７には、図３の受信ボックス管理部４４を複合機上に実装するための命令が含まれている。ログ管理命令５８には、図３のログ管理部４５を複合機上に実装し、特にログファイルにユーザ名を付加して記憶させるための命令が含まれている。
【００３９】
図５，図６に、実施例の動作アルゴリズムを示す。図５にファクシミリ受信以外の場合の処理を示すと、複合機の機体上に設けた操作パネルから、バイオメトリクスデータを読み取る（ステップ１）。読み取ったバイオメトリクスデータからユーザを特定し（ステップ２）、ステップ３でジョブの種類に応じて分岐する。ファクシミリ送信の場合、送り状（カバーページ）やｅメールの本文を作成し、送信元やｓｉｇｎａｔｕｒｅ欄などにユーザ名を送信者情報としてセットする（ステップ４）。スキャンの場合、スキャンファイルにユーザ名を付加する、あるいはそのユーザに対するディレクトリにスキャンファイルを収容するなどの処理を行う（ステップ５）。
【００４０】
次いでジョブを実行し、即ちファクシミリ送信やスキャンファイルの格納、コピーやプリントの実行を行い（ステップ６）、クライアントにジョブの実行を通知する（ステップ７）。そしてログファイルにユーザ名と共にジョブの実行日時や結果などを記録する（ステップ８）。
【００４１】
図６に受信の場合の処理を示すと、データを受信し（ステップ１１）、ユーザ毎の受信ボックスに収容する（ステップ１２）。ステップ１３で操作パネルでの操作を待ち、操作パネルの操作により、操作キーからバイオメトリクスデータを読み取ると（ステップ１４）、ユーザを特定する（ステップ１５）。そしてそのユーザの受信ボックスを開く（ステップ１６）。次にそのユーザに対する受信データが複数ある場合、例えばリストなどで表示し、ユーザが選択した文書に対して、表示、プリント、転送などのユーザが選択した出力形態により出力する（ステップ１７）。単なるリモートプリントなどのように、処理が定型的に決まっている場合、受信ボックスを用いずにファイルを記憶し、ユーザを特定すると、そのユーザに対するプリント文書を自動的にプリントするようにしても良い。これらの処理を終えると、ログファイルにユーザ名と処理したジョブの内容をその日時と共に記憶する（ステップ１８）。
【図面の簡単な説明】
【図１】実施例の複合機のブロック図
【図２】図１の複合機での、バイオメトリクスデータの読み取りを模式的に示す図
【図３】図１の複合機での、ジョブ管理部の構成を模式的に示す図
【図４】実施例の文書処理装置用のプログラムの構成を示すブロック図
【図５】実施例での、データ受信以外の場合の処理を示すフローチャート
【図６】実施例での、データ受信の場合の処理を示すフローチャート
【符号の説明】
２          複合機
４          複合機本体
６          ファクシミリ機能処理部
７          スキャナ機能処理部
８          コピー機能処理部
９          プリンタ機能処理部
１０        ＬＡＮインターフェース
１１        プログラムメモリ
１２        Ｉ／Ｏ
１３        ジョブ管理部
１５        ＰＳＴＮ（公衆電話回線網）
１６        ＬＡＮ
１７        ルータ
１８        インターネット
１９        ユーザの端末（クライアント）
３０        操作パネル
３１        認証部
３２        バイオメトリクスデータ記憶部
３４        タッチパネル
３５        スタートキー
３６        ストップキー
３７        認証キー
３８，３９  バイオメトリクスセンサ
４０        ジョブ所有者管理部
４１        ジョブ終了通知管理部
４２        送信者情報管理部
４３        スキャン文書所有者管理部
４４        受信ボックス管理部
４５        ログ管理部
５０        文書処理装置用のプログラム
５１        バイオメトリクスデータ記憶命令
５２        照合命令
５３        ジョブ所有者管理命令
５４        ジョブ終了通知管理命令
５５        送信者情報管理命令
５６        スキャン文書所有者管理命令
５７        受信ボックス管理命令
５８        ログ管理命令
【図１】
2005011142.tif 000003
【図２】
2005011142.tif 000004
【図３】
2005011142.tif 000005
【図４】
2005011142.tif 000006
【図５】
2005011142.tif 000007
【図６】
2005011142.tif 000008